(57)【特許請求の範囲】
【請求項１】
ガス遮断装置の外部にあるＨＡシステムから外出検知信号を受信したときの瞬間流量値に基づいてガスの使用状態を確認し、ガス使用中が確認されると外出注意信号を出力するようにしたガス遮断装置でかつ、ガス通路内に配置し交互に音波を発射してそれぞれの伝搬速度の差を計測してガスの瞬間流量を測定し瞬間流量値として出力する瞬間流量計測部と、ガス遮断装置の外部から外出検知信号を受信するとガス判定要求信号を出力する外部信号入力部と、前記ガス判定要求信号を受信すると前記瞬間流量計測部の瞬間流量値を判定し、この瞬間流量値が所定の値を超えていた場合にはガス使用中信号を出力するモード判定部と、前記ガス使用中信号を受信すると外部に外出注意信号を出力する外部信号出力部とを備えたガス遮断装置と、
前記ガス遮断装置の外部信号入力部および外部信号出力部との間で信号の送受信を行い、前記ガス遮断装置から外出注意信号を受信すると、警報を発するとともに、ドアキーの受付けを禁止するドア開閉制御を備えたＨＡシステムと、
を有するガス消し忘れ監視システム。
【発明の詳細な説明】
【０００１】
【発明の属する技術分野】
本発明は、ガス使用上の安全性を向上するガス遮断装置に関し、さらに詳しくは、人が外出した時にガス器具を確実に消火するガス遮断装置を含むガス消し忘れ監視システムに関する。
【０００２】
【従来の技術】
従来、この種のガス遮断装置は図５に示されているように、流量計測部１は図示はしないが、このガス遮断装置が設置されたガス通路内を一定量のガスが通過すると流量パルス信号Ａを出力し、流量判定部２は流量計測部１の流量パルス信号Ａを受け取ると指針値を算出し指針値保持信号Ｂを出力する。また指針値保持部３は流量判定部２の指針値保持信号Ｂを受け取ると指針値を保持する。
【０００３】
外部通信部５は電話回線等の公共回線でつながっている集中監視センタ４からの指針値要求信号Ｃを受け取るとそのまま指針値要求信号Ｃを指針値要求部６に受け渡し、指針値要求部６は外部通信部５から指針値要求信号Ｃを受け取ると指針値保持部３が保持しいてる指針値Ｃ´を取得して外部通信部５に指針値Ｃ´を受け渡し、外部通信部５は指針値Ｃ´を受け取ると公共回線を通して集中監視センタ４に指針値Ｃ´を受け渡す。
【０００４】
さらに、集中監視センタ４より公共回線を通してセンタ遮断要求信号Ｄを受け取ればセ
ンタ遮断部７にセンタ遮断要求信号Ｄを受け渡し、センタ遮断部７は外部通信部５のセンタ遮断要求信号Ｄを受け取ると警報報知信号Ｅと遮断許可信号Ｆを出力し、警報報知部８はセンタ遮断部７の警報報知信号Ｅを受け取るとＬＥＤの点滅またはＬＣＤによる表示をして警報報知をし、弁駆動部９はセンタ遮断部７の遮断許可信号Ｆを受け取ると遮断信号Ｇを出力し弁１０を駆動させてガス通路を閉栓するようになっていた。
【０００５】
【発明が解決しようとする課題】
しかしながら、上記従来のガス遮断装置では、ユーザが集中監視センタ４に外出先からガスの消し忘れを申告して調査してもらうというシステム形態をとっているため、ユーザがガスの消し忘れに気づかなければガス器具が燃焼し続けていることとなり不安全となる。
【０００６】
またユーザからの申告により調査依頼を受けた集中監視センタ４はユーザが所有しているガス遮断装置の指針値を複数回要求して、その差分が発生したときにガス器具が燃焼していると判定し、ガス器具が燃焼中に限り集中監視センタ４が強制的にセンタ遮断（通信により弁１０を閉栓させてガス通路を遮断する）させてガスの供給を止めガス器具の燃焼を消火していた。
【０００７】
ところが指針値はガス通路内を一定量のガスが通過した場合に変化するためにガス器具の燃焼量が少ない、たとえば口火流量等の場合には指針値要求の間隔（最長３０分）を長くとらねば発見することができないという欠点があった。
【０００８】
すなわち間隔が比較的短ければ（３分）燃焼量の大きい場合には早期対策（センタ遮断）がとれ非常に有効であるが、口火流量等の少流量は発見されにくい場合があり不安全となる。しかしながら長間隔（３０分）で行えば当然不安全の時間が長くなるという矛盾したものとなっていた。
【０００９】
このため、口火流量を想定して長間隔でガス器具の燃焼の有無の調査している間にユーザが帰宅した場合には、ガス遮断装置がガス器具の消火をしていないためにガス器具が燃焼し続けており不安全であると同時にユーザは集中監視センタ４に通報した行為が無駄になるという課題を有していた。
【００１０】
また、外出時点で事前にガス器具の燃焼の有無を判定するには、前述したようにガス通路内を一定量のガスが通過したことで判定するために、外出を決定してから最長３０分かかることになり実用性に欠けるという課題を有していた。
【００１１】
【課題を解決するための手段】
本発明は上記課題を解決するために、ガス通路内に配置し交互に音波を発射してそれぞれの伝搬速度の差を計測してガスの瞬間流量を測定し瞬間流量値として出力する瞬間流量計測部と、ガス遮断装置の外部から外出検知信号を受信するとガス判定要求信号を出力する外部信号入力部と、前記ガス判定要求信号を受信すると前記瞬間流量計測部の瞬間流量値を判定し、この瞬間流量値が所定の値を超えていた場合にはガス使用中信号を出力するモード判定部と、前記ガス使用中信号を受信すると外部に外出注意信号を出力する外部信号出力部とを備えてガス遮断装置を構成し、ガス遮断装置の外部とガス遮断装置は、外部信号入力部と外部信号出力部で信号の送受信を行い、ガス遮断装置の外部はガス遮断装置から外出注意信号を受信すると、警報を発するとともに、ドアキーの受付けを禁止するドア開閉制御を備えたものである。
【００１２】
このことにより、ガス遮断装置内に外部とのインターフェイス部となる外部信号入力部と外部信号出力部を有しているため、ガス遮断装置の外部とガス遮断装置は、外部信号入力部と外部信号出力部で信号の送受信を行うことができ、外出時におけるガス使用の有無を瞬時に確認することが可能となり、かつガス使用時の外出注意喚起を徹底することもでき、外出中のガス器具の燃焼そのものがなくなり、集中監視センターがガスの消し忘れをユーザ通報に依存していたという欠点を排除することができ、かつ使用判定時間の大幅な時間短縮ができる。
【００１３】
【発明の実施の形態】
本発明に係るガス消し忘れ監視システムは、ガス遮断装置の外部にあるＨＡシステムから外出検知信号を受信したときの瞬間流量値に基づいてガスの使用状態を確認し、ガス使用中が確認されると外出注意信号を出力するようにしたガス遮断装置でかつ、ガス通路内に配置し交互に音波を発射してそれぞれの伝搬速度の差を計測してガスの瞬間流量を測定し瞬間流量値として出力する瞬間流量計測部と、ガス遮断装置の外部から外出検知信号を受信するとガス判定要求信号を出力する外部信号入力部と、前記ガス判定要求信号を受信すると前記瞬間流量計測部の瞬間流量値を判定し、この瞬間流量値が所定の値を超えていた場合にはガス使用中信号を出力するモード判定部と、前記ガス使用中信号を受信すると外部に外出注意信号を出力する外部信号出力部とを備えたガス遮断装置と、前記ガス遮断装置の外部信号入力部および外部信号出力部との間で信号の送受信を行い、前記ガス遮断装置から外出注意信号を受信すると、警報を発するとともに、ドアキーの受付けを禁止するドア開閉制御を備えたＨＡシステムとを有するものである。そして、この構成によれば、ガス遮断装置内に外部とのインターフェイス部となる外部信号入力部と外部信号出力部を有しているため、ガス遮断装置の外部とガス遮断装置は、外部信号入力部と外部信号出力部で信号の送受信を行うことができ、外出時におけるガス通路内を流れるガスの瞬間流量を取得することができ、ガス器具の燃焼の有無を瞬時に判定することが可能となり、外出時点でユーザに警告することでガス器具の消し忘れを防止することが可能となる。
【００１４】
以下本発明の参考例及び実施例について図面を用いて説明する。
【００１５】
（参考例）
図１は本発明の参考例のガス遮断装置の機能ブロック図である。また図２は参考例のプログラムフローチャートである。
【００１６】
図１において、瞬間流量計測部１１はガス通路内を流れるガスの瞬間流量を測定し（たとえば、ガス通路内を斜めに横断するように両方向から交互に音波を発射して、音波の上流から下流側に発射した場合と下流側から上流側に発射した場合とでの伝搬速度の差を計測することで瞬間流量を算出する）瞬間流量値Ｈを出力する。
【００１７】
ホームオートメーションのＨＡシステム情報端末１２はユーザの外出を検知（たとえば、あらかじめ備えられている留守番警報器の起動ボタンが押されたとき）すると外出検知信号Ｉを出力する。ガス遮断装置の外部信号入力部１３はＨＡシステム情報端末１２からの外出検知信号Ｉを受け取るとガス判定要求信号Ｊを出力する。モード判定部１４は外部信号入力部１３のガス判定要求信号Ｊを受け取ると、瞬間流量計測部１１の瞬間流量値Ｈの有無を判定し、瞬間流量値Ｈが所定の値（たとえば１Ｌ／ｈ以上の流量が流れている場合をガス器具の燃焼中とする）を超えていた場合には警報報知信号Ｅと弁駆動許可信号Ｆを出力する。
【００１８】
警報報知部８はモード判定部１４の警報報知信号Ｅを受け取ると、ＬＥＤの点滅やＬＣＤによる表示を行って警報報知する。弁駆動部９はモード判定部１４の弁駆動許可信号Ｆを受け取ると弁閉栓信号Ｇを出力し、弁１０によりガス通路を閉栓するように設けられている。
【００１９】
次に動作、作用について説明する。図２に上記手段のプログラムフローをＳ１からＳ１２と、Ｓ１３からＳ１５に示す。今、処理開始から処理終了までのフローはそれぞれインターバルカレンダ等により周期的に処理されるものとする。
【００２０】
ガス遮断装置の外部信号入力部１３において、処理Ｓ１は外出開始の有無を判定し、外出開始であれば処理Ｓ２へ移行し、外出開始でなければ処理Ｓ７へ移行する。瞬間流量計測部１１において、処理Ｓ２はガス通路内を流れるガスの瞬間流量を取得して処理Ｓ３へ移行する。モード判定部１４において、処理Ｓ３は瞬間流量がある所定値以上（たとえば１Ｌ／ｈ以上）あるかどうを判定し、ある所定値以上の瞬間流量があれば処理Ｓ４へ移行し、ある所定値未満ならば処理を終了する。
【００２１】
警報報知部８において、処理Ｓ４はＬＥＤの点滅またはＬＣＤの表示により警報報知を行って処理Ｓ５へ移行する。弁駆動部９において、処理Ｓ５はガス通路の閉栓信号を出力して処理Ｓ６へ移行する。弁１０において、処理Ｓ６はガス通路を閉栓して処理を終了する。モード判定部１４において、処理Ｓ７は在宅の有無（たとえば、留守番警報器の起動ボタンが解除されている）を判定し、在宅中（起動ボタンが解除されている）であれば処
理Ｓ８へ移行し、不在であれば処理を終了する。処理Ｓ８はガス通路が閉栓中であるかどうかを判定し、閉栓中であれば処理Ｓ９へ移行し、閉栓中でなければ処理を終了する。
【００２２】
処理Ｓ９はガス通路を閉栓している弁１０が開栓されたか（たとえば、弁１０が遠隔操作による閉栓機能のみを持っている場合には弁１０を手動操作にて開栓状態にしたときに発生する逆起電力を検知した時に、あるいは弁１０が遠隔操作による閉栓機能と開栓機能の両方を持っている場合にはＨＡシステム情報端末のあらかじめ備えられている遠隔開栓ボタンが押されたことを検知してもよい）を判定し、開栓されたならば処理Ｓ１０へ移行し、開栓されなければ処理を終了する。
【００２３】
警報報知部８において、処理Ｓ１０は警報報知を解除して処理Ｓ１１へ移行する。弁駆動部９において、処理Ｓ１１はガス通路の開栓信号を出力して処理Ｓ１２へ移行する（但し、前述の遠隔による閉栓機能しかない弁１０の場合は既に逆起電力を取得した段階で弁１０が開栓されているので処理Ｓ１１と処理Ｓ１２は無視するものとする）。弁１０において、処理Ｓ１２はガス通路を閉栓している弁を開栓して処理を終了する。
【００２４】
ホームオートメーションのＨＡシステム情報端末１２において、処理Ｓ１３はユーザの外出を検知（たとえばあらかじめ備えられている留守番警報器の起動ボタンが押されたとき）しなければ処理Ｓ１４へ移行し、外出を検知すれば処理Ｓ１５へ移行する。
【００２５】
処理Ｓ１４は外出開始をリセットして処理を終了する。処理Ｓ１５は外出開始をセットして処理を終了する。
【００２６】
（実施例１）
図３は本発明の実施例１のガス遮断装置の機能ブロック図であり、図４はプログラムフローチャートである。
【００２７】
図３において、瞬間流量計測部１１においてガス通路内を流れるガスの瞬間流量を測定し瞬間流量値Ｈを出力する。ＨＡシステム情報端末１２はユーザの外出を検知（たとえば、あらかじめ備えられている留守番警報器の起動ボタンが押されたとき）すると外出検知信号Ｉを出力する。外部信号入力部１３はＨＡシステム情報端末１２からの外出検知信号Ｉを受け取るとガス判定要求信号Ｊを出力する。
【００２８】
モード判定部１４は外部信号入力部１３のガス判定要求信号Ｊを受け取ると瞬間流量計測部１１の瞬間流量値Ｈを判定し、瞬間流量値Ｈが所定の値（たとえば１Ｌ／ｈ以上の流量が流れている場合をガス器具の燃焼中とする）を超えていた場合にはガス器具燃焼中信号Ｋを出力する。外部信号出力部１５はモード判定部１４のガス器具燃焼中信号Ｋを受け取ると外出注意信号Ｌを出力する。
【００２９】
ＨＡシステム情報端末１２は外部信号出力部１５の外出注意信号Ｌを受け取ると、ＬＣＤ等のインフォメーションパネルにガス器具が燃焼中のために放置したままの外出は危険であることの注意情報を表示したり、あるいは音声によりガス器具が燃焼していることを警報報知してドアロック禁止信号Ｍを出力する。ドア開閉制御１６はＨＡシステム情報端末１２のドアロック禁止信号Ｍを受け取るとドアの屋外からの施錠を禁止し、外出を間接的、強制的に禁止することで２重の警告報知を行うように設けられている。
【００３０】
次に動作、作用について説明する。図４に上記手段のプログラムフローをＳ１からＳ３とＳ１６、Ｓ１７、およびＳ１３からＳ１５とＳ１８からＳ２３に示す。今、処理開始から処理終了までのフローはそれぞれインターバルカレンダ等により周期的に処理されるものとする。ガス遮断装置の外部信号入力部１３において、処理Ｓ１は外出開始の有無を判
定し、外出開始であれば処理Ｓ２へ移行し、外出開始でなければ処理Ｓ１７へ移行する。瞬間流量計測部１１において、処理Ｓ２はガス通路内を流れるガスの瞬間流量を取得して処理Ｓ３へ移行する。
【００３１】
モード判定部１４において、処理Ｓ３は瞬間流量がある所定値以上（たとえば１Ｌ／ｈ以上）あるかどうを判定し、ある所定値以上の瞬間流量があれば処理Ｓ１６へ移行し、ある所定値未満ならば処理１７へ移行する。外部信号出力部１５において、処理Ｓ１６は外出禁止をセットして処理を終了する。処理１７は外出禁止をリセットして処理を終了する。ＨＡシステムのＨＡシステム情報端末１２において、処理Ｓ１３はユーザの外出を検知（たとえばあらかじめ備えられている留守番警報器の起動ボタンが押されたとき）しなければ処理Ｓ１４へ移行し、外出を検知すれば処理Ｓ１５へ移行する。
【００３２】
処理Ｓ１４は外出開始をリセットして処理Ｓ１８へ移行する。処理Ｓ１５は外出開始をセットして処理Ｓ１８へ移行する。処理Ｓ１８は外出禁止の有無を判定し、外出禁止であればＳ１９へ移行し、外出禁止でなければ処理Ｓ２１へ移行する。処理Ｓ１９はＬＣＤ等のインフォメーションパネルに表示したり、あるいは音声によりガス器具が燃焼していることを警報報知して処理Ｓ２０へ移行する。
【００３３】
処理Ｓ２０はドアロックの受付を不可として処理Ｓ２２へ移行する。処理Ｓ２１はドアロックの受付を可として処理Ｓ２２へ移行する。ドア開閉制御１６において、処理２２はドアロックの受付が可ならば処理Ｓ２３へ移行し、ドアロックの受付が不可ならば処理を終了する。処理Ｓ２３はドアの開閉動作を行って処理を終了する。
【００３４】
以上のように、本実施例によれば、ＨＡシステム情報端末に瞬間流量計測部がガス通路内のガスの流れを取得することにより、ガス器具の燃焼の有無を瞬時にフィードバックして表示させることでユーザにガス器具の消火を示唆するとともに、ドアの開閉制御をコントロールする事でガス器具の燃焼中の外出を回避させることができる。
【００３５】
また、本ガス遮断装置は電池を電源として動作させており、外出時にガス器具が燃焼していれば弁を閉栓（および帰宅時の開栓）させていたが、本実施例によれば弁の閉栓および開栓を省くことができるため電池の無駄な使用を減らすことができる。
【００３６】
このことにより電池を小容量のものに設計することが可能となり、小型の電池を使用することでガス遮断装置の小型化を図ったり、あるいは同容量の電池を使用しても製品寿命を延長することができるという有利な効果を有する。
【００３７】
【発明の効果】
以上のように、本発明に係るガス消し忘れ監視システムによれば、ＨＡシステム情報端末に瞬間流量計測部がガス通路内のガスの流れを取得することにより、ガス器具の燃焼の有無を瞬時にフィードバックして表示させることでユーザにガス器具の消火を示唆するとともに、ドアの開閉制御をコントロールする事でガス器具の燃焼中の外出を回避させることができる。
【図面の簡単な説明】
【図１】  本発明の参考例のガス遮断装置の機能ブロック図
【図２】  同装置のプログラムフローチャート
【図３】  本発明の実施例１のガス遮断装置の機能ブロック図
【図４】  同装置のプログラムフローチャート
【図５】  従来のガス遮断装置の機能ブロック図
【符号の説明】
８  警報報知部
９  弁駆動部
１０  弁
１１  瞬間流量計測部
１３  外部信号入力部
１４  モード判定部
１５  外部信号出力部
１６  ドア開閉制御
【図１】
0004223080.tif 000002
【図２】
0004223080.tif 000003
【図３】
0004223080.tif 000004
【図４】
0004223080.tif 000005
【図５】
0004223080.tif 000006